(57)【要約】シャッター等の開閉部材の開閉時の抵抗の発生を抑制したり、雑音の発生を抑制したりすることができる隙間用ブラシを提供する。多数のブラシ毛１３を纏めた複数の毛束１２が、左右方向に連続して伸びるブラシ基部１４に固定されたブラシ本体１１を備える。ブラシ基部１４は取付部材２０によって取付箇所５０に取り付けられる。取付部材２０は、ブラシ基部１４を保持するホルダー２１と、取付箇所５０に固定される固定部４１と、両者間に介在する中間部３１とを備える。中間部３１は、弾性変形可能であり、この弾性変形によってブラシ本体１１が前後方向に動くことができる。
2017056231.tif 000002
【特許請求の範囲】
【請求項１】
左右方向に連続して伸びるブラシ基部と、前記ブラシ基部の左右方向に配列された多数のブラシ毛とを備えたブラシ本体と、
前記ブラシ本体を取付箇所に固定するための取付部材とを備え、
前記取付箇所に取り付けられることによって、前記取付箇所の周辺の隙間を埋めた通過抑制形態とされ、前記通過抑制形態にて前後方向への異物の通過を抑制する隙間用ブラシにおいて、
前記取付部材は、前記取付箇所に固定される固定部と、前記固定部と前記ブラシ基部との間に介在する中間部とを備え、
前記中間部は、前記通過抑制形態にて、前記ブラシ本体が前後方向に動くことができるように、前記固定部と前記ブラシ基部との間に介在することを特徴とする隙間用ブラシ。
【請求項２】
前記中間部は、前後方向に弾性変形する部材によって構成されたことを特徴とする請求項１に記載の隙間用ブラシ。
【請求項３】
前記中間部は、左右方向に伸びる１枚の板状体をなし、前記中間部は、前記板状体の厚み方向に弾性変形するように構成されたことを特徴とする請求項１又は２に記載の隙間用ブラシ。
【発明の詳細な説明】
【技術分野】
【０００１】
本発明は、例えば建物用開口部の開閉に使用されるシャッターや扉等に対応可能であり、建物とシャッターや扉等との間の隙間を塞ぐための隙間用ブラシに関するものである。
【背景技術】
【０００２】
建物の内外を通じさせるために壁面等に設けられる建物用開口部において、その建物用開口部の開閉に使用されるシャッターや扉等の開閉部材と建物との間には、開閉を円滑に行うための隙間が設けられている。従来、この隙間を塞ぐ隙間用ブラシの提案が、種々なされてきた（例えば、特許文献１〜特許文献３）。【０００３】
これらのブラシは、毛束が集合したブラシ本体と、このブラシ本体を建物側に固定するための取付部材とが組み合わされたものであって、取付部材が建物に固定され、ブラシ本体の先端側が上記開閉部材に接するように配置され使用されている。以下、取付箇所に取り付けられて取付箇所の周辺の隙間を埋めた際の隙間用ブラシの形態を、通過抑制形態と言う。【０００４】
隙間用ブラシは、この通過抑制形態にて、上記の建物用開口部の開閉は可能であり、且つ、前記隙間をブラシによって塞ぐことができ、ブラシの前後方向への異物の通過を抑制する。これにより、虫等の生物、埃やちり、有害物質等々の種々の異物の侵入を防止することができるものである。【０００５】
特許文献３では毛束間の隙間、毛束の基端部における毛束間の隙間を塞ぐことにより密閉度を高める得る隙間用ブラシを提案している。
同時に特許文献３では、ブラシ本体の傾斜角度を調整して取り付け、且つ、取り付け完了後の通過抑制形態では、取り付けた傾斜角度を確実に維持して使用を行うことができるようにした角度調整機能を付加した隙間用ブラシを提案している。【０００６】
ところが、隙間用ブラシは、通過抑制形態にて、上記の建物用開口部の開閉は可能であるものの、例えばシャッターの開閉時の抵抗が大きくなったり、大きな雑音が生じたりする等の課題が生じる場合がある。
特にシャッターは、スラットと呼ばれる多数の横長の板状体が接続されており、多数のスラットを巻き上げたり巻き戻したりして開閉がなされる。この開閉の際に、スラットは、前後に撓みながら、上下に移動する。またスラットの縦断面は湾曲しているのが一般的であり、シャッターは静止状態でも山と谷とが繰り返す形状をなしている。【０００７】
他方、隙間用ブラシは、通過抑制形態にては、シャッターに対して一定の角度で固定されているため、シャッターの開閉時の動き如何では、抵抗が大きくなったり、大きな雑音が生じたりする場合がある。
【先行技術文献】
【特許文献】
【０００８】
【特許文献１】登録実用新案第３０６８６７０号公報
【特許文献２】特開２００４−１５６２３９号公報
【特許文献３】特開２０１１−１２２３７９号公報
【発明の概要】
【発明が解決しようとする課題】
【０００９】
本発明は、シャッター等の開閉部材の開閉時の抵抗の発生を抑制することができる隙間用ブラシを提供することを課題とする。
本発明は、シャッター等の開閉部材の開閉時の雑音の発生を抑制することができる隙間用ブラシを提供することを課題とする。
【課題を解決するための手段】
【００１０】
本発明は、左右方向に連続して伸びるブラシ基部と、前記ブラシ基部の左右方向に配列された多数のブラシ毛とを備えたブラシ本体と、前記ブラシ本体を取付箇所に固定するための取付部材とを備え、前記取付箇所に取り付けられることによって、前記取付箇所の周辺の隙間を埋めた通過抑制形態とされ、前記通過抑制形態にて前後方向への異物の通過を抑制する隙間用ブラシにおいて、次の手段を施すことにより、上記の課題を解決する。【００１１】
本発明に係る隙間用ブラシにあっては、前記取付部材は、前記取付箇所に固定される固定部と、前記固定部と前記ブラシ基部との間に介在する中間部とを備える。前記中間部は、前記通過抑制形態にて、前記ブラシ本体が前後方向に動くことができるように、前記固定部と前記ブラシ基部との間に介在するものである。【００１２】
前記中間部は、前後方向に弾性変形する変形部材によって構成することができる。
また、前記中間部は、左右方向に伸びる１枚の板状体をなし、前記中間部は、前記板状体の厚み方向に弾性変形するように構成することができる。
【発明の効果】
【００１３】
本発明は、シャッター等の開閉部材の開閉時の抵抗の発生を抑制することができる隙間用ブラシを提供することができたものである。
また本発明は、シャッター等の開閉部材の開閉時の雑音の発生を抑制することができる隙間用ブラシを提供することができたものである。
【図面の簡単な説明】
【００１４】
【図１】本発明の第１の実施の形態に係る隙間用ブラシの全体を示す側面図である。
【図２】同隙間用ブラシのブラシ本体を示すもので、（Ａ）は正面図、（Ｂ）は側面図、（Ｃ）はブラシ基部の突き合わせ端部を示す概略平面図である。
【図３】建物用開口部への同隙間用ブラシを取り付けた形態を示す概略図である。
【図４】同隙間用ブラシの変形例を示す側面図である。
【図５】本発明の第２の実施の形態に係る隙間用ブラシの全体を示す側面図である。
【図６】建物用開口部への同隙間用ブラシを取り付けた形態を示す概略図である。
【図７】実施例及び比較例に対する押圧試験を示す説明図である。
【発明を実施するための形態】
【００１５】
以下、図面に基づき本発明の実施の形態の一例をとりあげて説明する。なお、本願の各請求項及び明細書の記載における上下前後左右の表現は、相対的な位置関係を示すに止まり、絶対的な位置を特定するものではない。
本発明の第１の実施の形態に係る隙間用ブラシは、図１に示すように、ブラシ本体１１並びに取付部材２０から構成されている。
【００１６】
（ブラシ本体１１について）
ブラシ本体１１は図２に示すように、複数の毛束１２とブラシ基部１４とから構成されている。毛束１２は、複数のブラシ毛１３の集合体であり、複数のブラシ毛１３が定法に従って、一かたまりの郡となって毛束１２を構成し、合成樹脂製のブラシ基部１４に植えられている。
【００１７】
ブラシ基部１４はその左右方向を長手方向とするものであり、毛束１２はブラシ基部１４の左右方向に複数が配列されてなる。従って、ブラシ本体１１は、左右方向に連続して伸びるブラシ基部１４の長手方向に沿って多数のブラシ毛１３が左右方向に配列されている。
【００１８】
この例では、毛束１２は前後に２列が配置されているが、１列でもよく３列以上であってもかまわない。
なお、以下の説明では、特に断りのない限り、その取り付け位置に関わらず、ブラシ基部１４の長手方向を左右方向とし、短手方向を前後方向として説明する。
【００１９】
毛束１２は、前述の通過抑制形態にてシャッターの凹凸や前後への移動や撓みに応じて弾性変形することができる、プラスチック製の線材にて形成された多数のブラシ毛１３を纏めたものである。ブラシ毛１３を合成樹脂にて構成する場合には、熱可塑性樹脂（PE・PP・PBT・PA）等が適当である。但し、ブラシ毛１３の素材は適度の弾性や耐久性や耐候性を備えていれば、上記以外の合成樹脂製であってもよく、獣毛等他の素材を用いて形成することも可能である。
【００２０】
具体的には、ねずみ等の小動物対策用としては、ブラシ毛１３にポリプロピレン（PP）樹脂を用いた場合、直径0.7〜1.0ｍｍとすることが好ましい。また、昆虫対策用のものとしては、直径が0.1〜0.5ｍｍのものを用いることが好ましい。但し、本発明は、昆虫対策用であれ小動物対策用であれ、その対象物の如何を問わず適用することができるものであり、その実施に際しては、種々の径のものを選択することができる。また、上記の径は、ブラシ毛１３の素材や長さ等に応じて適宜変更して実施することができる。また、ブラシ毛１３の素材に、動物等に対する忌避剤を配合するようにしてもかまわない。
【００２１】
ブラシ基部１４はブラシ毛１３に比して弾性変形し難い共重合合成樹脂（ABS樹脂など）製等の硬質プラスチック製や金属製や木製の部材で、左右方向に連続して伸びるものであり、その断面形状は基端側から先端側に向かい上すぼまりの台形状である。ただし、ブラシ基部１４の断面形状はこれに限られるものではなく、長方形状や湾曲面を有する形状であっても良い。
【００２２】
上記各毛束１２の基端はブラシ基部１４を上下に貫通してブラシ基部１４の上面から上方に突出して植えられている。図２の例では、ブラシ基部１４には前後方向に２列の毛束１２が配列されており、毛束１２の一方の列と他方の列は互い違いになっている。これにより、毛束１２を前後方向に二列同位置に配列するのに比べ、毛束１２同士の間の隙間を小さくすることができる。しかも、図２（Ｃ）に示すように、長手方向に複数本のブラシを接続する場合にあっても、ブラシ基部１４の端部１５を斜めにカットしておくようにすれば、接続部分でも他の部分と同様に等間隔で毛束１２を配置し易くなる。
毛束１２のブラシ毛１３の長さは図３及び図６に示すように、隙間用ブラシを取り付けた際にスラット５１等の対象物に当接できるよう設定される。スラット５１の表面には凹凸の起伏が存在するが、その起伏のいずれの箇所に対しても当接できる長さを有することが好ましい。
【００２３】
（取付部材２０について）
取付部材２０は、図１に示すように、ホルダー２１と中間部３１と固定部４１とから構成されている。ホルダー２１は、ブラシ基部１４を保持するもので、固定部４１は、取付箇所５０にネジ等の固定手段で固定されるもので、中間部３１は、固定部４１とホルダー２１との間に配置されるものである。従って、取付部材２０は、取付箇所５０に固定される固定部４１と、固定部４１とブラシ基部１４との間に介在する中間部３１とを備えるものである。この中間部３１は、通過抑制形態にて、ブラシ本体１１が前後方向に動くことができるように、固定部４１とホルダー２１（ひいてはブラシ基部１４）との間に介在するものである。
【００２４】
（ホルダー２１について）
この実施の形態にあっては、ホルダー２１は、左右方向に伸びる基部２２と、基部２２の前後からそれぞれ先端（ブラシ毛１３に近い側）の方向に伸びる側壁部２３とを備える。前後の側壁部２３は、両者の間にブラシ本体１１を挟持するもので、この例では基端（固定部４１に近い側）に保持部分２４を備え、先端側に隠蔽部分２５を備える。
【００２５】
側壁部２３は、両者の間にブラシ基部１４が通されることによって、ブラシ基部１４を保持する。組み付けに際しては、保持部分２４の長手方向（左右方向）の一端から、ブラシ基部１４の長手方向（左右方向）の一端を挿入していけばよい。ブラシ毛１３が消耗する等して交換が必要な場合には、逆に抜き取ればよく、容易に着脱交換をなすことができる。
【００２６】
隠蔽部分２５は、毛束１２の基部にまで達しており、毛束１２の基部同士の間に生じる小さな隙間を隠蔽し、これによって、毛束１２同士の小さな隙間から侵入しようとする小さな虫や塵を排除することができる。特に、前後の隠蔽部分２５同士の間隔が、自由状態（装着前の状態）の毛束１２群からなるブラシ本体１１群の前後幅よりも小さくしておくことも好ましい。これにより、ブラシ本体１１をホルダー２１に装着した状態で、毛束１２の基部が横方向に広がり、小さな隙間の発生をより有効に抑制することができる利点が生じる。但し、この点は必須のものではなく、前後の隠蔽部分２５同士の間隔を、自由状態（装着前の状態）の毛束１２群からなるブラシ本体１１群の前後幅以上に設定してもかまわないし、隠蔽部分２５を設けずに実施してもかまわない。さらに、ブラシ本体１１の交換を考慮しないのであれば、ホルダー２１を用いずに、ブラシ基部１４に中間部３１を直接固定するようにしてもかまわない。
【００２７】
（固定部４１について）
固定部４１は、中間部３１が設けられる接続部分４２と、この接続部分４２を取付箇所５０に対して固定する固定部分４３とを備える。図１の例の隙間用ブラシでは、接続部分４２と固定部分４３とは、直交している。この隙間用ブラシは、まぐさ用であり、図３に示すように、建築物の開口部のすぐ上に配置された略水平な横材やシャーターのケーシング等を取付箇所５０として、これに取り付けられる。
【００２８】
図３の例では、一般的なシャッターに取り付けたもので、シャッターは短冊状のスラット５１が上下方向に複数枚接続されている。隙間用ブラシは、建築物の開口部を閉鎖した状態のスラット５１に対して、ブラシ毛１３の先端が略垂直に当接するように取り付けられる。シャッターの内側と外側とのいずれに対してもブラシ本体１１は取り付けることができるが、外部からの侵入を防止する観点からは、図３に示したように、外側（図の左側）に配置することが適当である。
【００２９】
固定部分４３は、図示は省略するが、左右方向に適宜間隔を置いて、ネジ挿通穴を備える。固定部分４３は取付箇所５０に重ねられ、ネジ挿通穴に通されるタッピングネジ等によって取付箇所５０に固定される。この固定は、ネジ以外の接着や両面テープ等の他の固定手段や、嵌合や係合等による着脱可能な固定であってもかまわない。
【００３０】
接続部分４２は、この例では、固定部分４３と直角に形成されている。接続部分４２は固定部分４３と一体の部材であるが、接続部分４２と固定部分４３とは別体の部材を直接または間接的に接続したものであってもよい。
さらにこの例では、カバー４４の一端が固定部分４３の一端に前後のヒンジ４５を介して回動可能に設けられている。カバー４４の他端は、接続部分４２に対して着脱可能であり、カバー４４を回動して開いて前記ネジ止めを行った後に、カバー４４を逆方向に回動して閉じて接続部分４２に係合させる。これにより、ネジを外部から見えないようにしたり、デザインを向上させたり、ほこり等の付着を防いだりすることができる。ホルダー２１及び固定部４１は、硬質のポリ塩化ビニルやABS樹脂等の硬質の合成樹脂や金属などの弾性変形し難い素材によって構成される。
【００３１】
（中間部について）
接続部分４２と基部２２とは、中間部３１を介して接続されている。中間部３１は、軟質のポリ塩化ビニルや低密度ポリエチレン（LDPE）等の、弾性変形可能な素材で構成されている。中間部３１は、シャッターの前後動や撓みによって、シャッターと固定部４１との間隔が変化した際に、弾性変形することができる程度の弾性を有するものであればよい。これにより、シャッターの前後動や撓みによって、シャッターと固定部４１との間隔が変化した際には、中間部３１がブラシ毛１３と共に弾性変形することによって、その間隔の変化を吸収して、シャッターに対して加わる抵抗を緩和したり、大きな音が発生するのを抑制することができる。また、ブラシ毛に当たるものがなくなった自由状態では、元の状態に復帰する。
【００３２】
この例では、中間部３１は左右方向に伸びる１枚の板状体をなし、この板状体の厚み方向に弾性変形するように構成されている。これによって、通過抑制形態にて、ブラシ本体１１が固定部４１に対して前後方向に動くことができる。この中間部３１は、平板状であってもよいが、幅方向の中程で湾曲している。これによって、中間部３１は、前後方向により容易に弾性変形することができる。より詳しくは、図１における上辺側が、下辺側に比して小さな半径の弧を描く形態となっている。但し中間部３１は、下辺側が、上辺側に比して小さな半径の弧を描く形態となっていてもよく、上下両辺の半径は同じで全体が湾曲しているものであってもよい。また幅方向の中程の肉厚が両端に比べて大きいものや、逆に幅方向の中程の肉厚が両端に比べて小さいものでもかまわない。
【００３３】
さらに上述のように、抵抗低減と音の発生の抑制効果の点では、１個の中間部３１によってホルダー２１と固定部４１とを接続することが有利であるが、図４に示すように、中間部３１を前後に複数個設けた場合であっても、中間部３１を介さずにホルダー２１と固定部４１とを直接接続する場合に比して、抵抗を低くすることができる。
【００３４】
また、弾性変形可能な中間部３１に代えて、コイルスプリングのようなバネ材を用いることもでき、さらにヒンジによって回動可能なもので実施することもできるが、完全に自由回動が可能なものでは虫や小動物の侵入を許したり自重で垂れ下がったりするおそれがあるため、自由状態下では、付勢手段等で所定の位置に戻るように規制しておくことが望ましい。
【００３５】
（第２の実施の形態）
次に図５及び図６を参照して、第２の実施の形態について説明する。この例は、隙間用ブラシのブラシ基部１４の長手方向が縦方向に配置されて、取付箇所５０に取り付けられる。そのために固定部４１の構造を変更したものであり、他の構造は第１の実施の形態と同一であるためその説明は省略する。
【００３６】
図１の例では、接続部分４２は固定部分４３に対して直角に直接連設されていたが、図５の例では、接続部分４２は固定部分４３に対して鋭角の角度を持って配置されている。また、接続部分４２は、前後の介在部４６を介して固定部分４３に接続されている。
【００３７】
この隙間用ブラシは、図６に示すように、シャッターの左右の端部に、上下方向に取り付けられる。従って、取付箇所５０はシャッターの左右両側の壁面等が想定される。図６の例でも、シャッターの内側と外側とのいずれに対してもブラシ本体１１は取り付けることができるが、外部からの侵入を防止する観点からは、外側（図の左側）に配置することが適当である。この場合、ブラシ毛１３はシャッターのスラット５１に対して、平面視において角度を持って配置されることが適当であり、上述の構造を採用したものである。なお、縦に隙間用ブラシを配置すると、ブラシ毛１３はスラット５１の山と谷との双方に当接するようにする必要があるため、山の部分では谷の部分に比して、ブラシ毛１３が少しだけ大きく変形した状態になっている。
【００３８】
（通過抑制形態）
通常、隙間用ブラシは、固定部４１が建物等の固定側の取付箇所５０に配置される。他方、ブラシ本体１１は、シャッターのスラット５１等の開閉部材に対して、所定の角度で設置され、その先端がスラット５１等に当接する。これによって、建物と開閉部材との間の隙間から異物が建物内に侵入することを抑制する。このシャッターのスラット５１等の開閉部材に対して所定の角度で設置された状態が通過抑制状態である。
【００３９】
ところが、シャッターは日常頻繁に開閉される。その際、シャッターの開閉時には、多数のスラット５１を巻き上げたり巻き戻したりして開閉がなされる。この開閉の際に、スラット５１は、前後に撓みながら、上下に移動する。またスラット５１の縦断面は湾曲しているのが一般的であり、シャッターは静止状態でも山と谷とが繰り返す形状をなしている。さらに、シャッターの下端には少なくとも6ｃｍ程度の前後幅を有する座板が水平に配置されており、この座板はスラット５１から前後それぞれに30ｍｍ程度は張り出した状態となっている。
【００４０】
他方、隙間用ブラシは、通過抑制形態にては、シャッターに対して一定の角度で固定されているため、通常はブラシ毛１３が弾性変形することによって、上記のシャッターの前後動や位置の変化に対応している。
これに対して、本発明の実施の形態にあっては、中間部３１が設けられることによって、ブラシ本体１１が前後方向に動くことができる。その結果、シャッターの開閉時の前後動などが大きくなっても、その変化をブラシ毛１３のみで吸収するのではなく、中間部３１による上記のブラシ本体１１の前後動を加えて吸収する。その結果、シャッターの開閉時の抵抗が大きくなったり、大きな雑音が生じたりすることを抑制することができる。
【実施例】
【００４１】
以下、本発明の実施例を示すが、本発明はこの実施例に限定して理解されるべきではない。
（実施例１、２及び比較例１）
実施例１：図１に示す隙間用ブラシを作成した。線径0.8ｍｍ、ブラシの毛丈60ｍｍのポリプロピレン製ブラシ毛１３を備えたブラシ本体１１（左右長さ50ｃｍ）を、取付部材２０に取り付けた。取付部材２０は、中間部３１が軟質塩化ビニルで構成され、他の部分が硬質塩化ビニルによって構成されている。【００４２】
実施例２：図４に示す隙間用ブラシを作成した。実施例１と同一のブラシ本体１１を、取付部材２０に取り付けた。取付部材２０は、中間部３１が軟質塩化ビニルで構成され、他の部分が硬質塩化ビニルによって構成されている。
比較例１：実施例１と同一のブラシ本体１１を、硬質の金属板に直接取り付けた。【００４３】
（押圧試験）
図７に示すように、ブラシ本体１１が水平となるように、固定した。固定箇所は、実施例１、２にあっては固定部４１の左右方向の略中央部分、比較例１にあっては金属板の左右方向の略中央部分とした。【００４４】
実施例１、２及び比較例１のブラシ毛１３の左右方向の全体を覆う当て板（50ｃｍ×2.5ｃｍ）を介して、図７の下方に15ｍｍ押圧した時の荷重を測定した。その結果を表１に示す。なお、当て板は、ブラシ毛１３の先端から25ｍｍの位置までを覆うものとした。測定装置は、定速伸長形引張試験機を用いて引張速度を10ｍｍ／分で実施した。【００４５】
表１に示されるように、実施例２では比較例１に比して荷重が略半減し、実施例１では比較例１に比して荷重が１０分の１未満にまで減少したものであり、シャッターへ加わる抵抗を低減し得ることが確認された。【００４６】
【表１】
2017056231.tif 000003
【符号の説明】
【００４７】
１１  ブラシ本体
１２  毛束
１３  ブラシ毛
１４  ブラシ基部
１５  ブラシ基部の端部
２０  取付部材
２１  ホルダー
２２  基部
２３  側壁部
２４  保持部分
２５  隠蔽部分
３１  中間部
４１  固定部
４２  接続部分
４３  固定部分
４４  カバー
４５  ヒンジ
４６  介在部
５０  取付箇所
５１  スラット
【図１】
2017056231.tif 000004
【図２】
2017056231.tif 000005
【図３】
2017056231.tif 000006
【図４】
2017056231.tif 000007
【図５】
2017056231.tif 000008
【図６】
2017056231.tif 000009
【図７】
2017056231.tif 000010
【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
建物の内外を通じさせるための建物用開口部と、前記建物用開口部の開閉がなされるシャッターの間の隙間に配置されるものであって、
左右方向に連続して伸びるブラシ基部と、前記ブラシ基部の左右方向に配列された多数のブラシ毛とを備えたブラシ本体と、前記ブラシ本体を取付箇所に固定するための取付部材とを備え、
前記取付箇所に取り付けられることによって、前記取付箇所の周辺の隙間を埋めた通過抑制形態とされ、前記通過抑制形態にて前後方向への異物の通過を抑制する隙間用ブラシにおいて、
前記取付部材は、前記取付箇所に固定される固定部と、前記固定部と前記ブラシ基部との間に介在する中間部とを備え、
前記中間部は、前後方向に弾性変形する部材によって構成され、
前記通過抑制形態にて、前記ブラシ本体が前後方向に動くことができるように、前記固定部と前記ブラシ基部との間に介在し、
前記シャッターの前後動や撓みによって前記隙間の大きさが変化した際に、前記中間部が前記ブラシ毛と共に弾性変形することによって、前記隙間の大きさの変化を吸収するように構成されたことを特徴とする隙間用ブラシ。
【請求項２】
建物の内外を通じさせるための建物用開口部と、前記建物用開口部の開閉に使用される開閉部材と、前記建物用開口部と前記開閉部材との間の隙間に配置された隙間用ブラシとを備え、
前記隙間用ブラシは、一方向に連続して伸びるブラシ基部と前記ブラシ基部の伸びる長手方向に配列された多数のブラシ毛とを備えたブラシ本体と、前記ブラシ本体を前記建物用開口部の取付箇所に固定するための取付部材とを備え、
前記隙間用ブラシの前記ブラシ基部は、その長手方向が前記建物用開口部の横方向に伸びるように配置されて、前記取付箇所に取り付けられ、
前記隙間用ブラシによって、前記取付箇所の周辺の前記隙間を埋めた通過抑制形態が構成され、前記通過抑制形態にて前記建物用開口部の前後方向への異物の通過を抑制する建物用開口部の隙間の閉鎖構造において、
前記取付部材は、前記取付箇所に固定される固定部と、前記固定部と前記ブラシ基部との間に介在する中間部とを備え、
前記中間部は、前記建物用開口部の前後方向に弾性変形可能であって、前記通過抑制形態にて、前記ブラシ本体が前記建物用開口部の前後方向に動くことができるように、前記固定部と前記ブラシ基部との間に介在しており、
前記中間部は、前記建物用開口部の前後方向に弾性変形する部材によって構成され、
前記ブラシ基部の長手方向に伸びる１枚の板状体をなし、その幅方向の中程が下方に張り出すように曲がっていることを特徴とする隙間用ブラシによる建物用開口部の隙間の閉鎖構造。
【請求項３】
建物の内外を通じさせるための建物用開口部と、前記建物用開口部の開閉に使用される開閉部材と、前記建物用開口部と前記開閉部材との間の隙間に配置された隙間用ブラシとを備え、
前記隙間用ブラシは、一方向に連続して伸びるブラシ基部と前記ブラシ基部の伸びる長手方向に配列された多数のブラシ毛とを備えたブラシ本体と、前記ブラシ本体を前記建物用開口部の取付箇所に固定するための取付部材とを備え、
前記隙間用ブラシの前記ブラシ基部は、その長手方向が前記建物用開口部の縦方向に伸びるように配置されて、前記取付箇所に取り付けられ、
前記隙間用ブラシによって、前記取付箇所の周辺の前記隙間を埋めた通過抑制形態が構成され、前記通過抑制形態にて前記建物用開口部の前後方向への異物の通過を抑制する建物用開口部の隙間の閉鎖構造において、
前記取付部材は、前記取付箇所に固定される固定部と、前記固定部と前記ブラシ基部との間に介在する中間部とを備え、
前記中間部は、前記建物用開口部の前後方向に弾性変形可能であって、前記通過抑制形態にて、前記ブラシ本体が前記建物用開口部の前後方向に動くことができるように、前記固定部と前記ブラシ基部との間に介在しており、
前記中間部は、前記建物用開口部の前後方向に弾性変形する部材によって構成され、
前記ブラシ基部の長手方向に伸びる１枚の板状体をなし、その幅方向の中程が開閉部材と反対側に張り出すように曲がっていることを特徴とする隙間用ブラシによる建物用開口部の隙間の閉鎖構造。
【手続補正３】
【補正対象書類名】明細書
【補正対象項目名】００３２
【補正方法】変更
【補正の内容】
【００３２】
この例では、中間部３１は左右方向に伸びる１枚の板状体をなし、この板状体の厚み方向に弾性変形するように構成されている。これによって、通過抑制形態にて、ブラシ本体１１が固定部４１に対して前後方向に動くことができる。この中間部３１は、平板状であってもよいが、幅方向の中程で湾曲している。そして、図１及び図３に示されるように、中間部３１の幅方向の中程が下方に張り出すように、取付箇所５０に取り付けられる。これによって、中間部３１は、前後方向により容易に弾性変形することができる。より詳しくは、図１における上辺側が、下辺側に比して小さな半径の弧を描く形態となっている。但し中間部３１は、下辺側が、上辺側に比して小さな半径の弧を描く形態となっていてもよく、上下両辺の半径は同じで全体が湾曲しているものであってもよい。また幅方向の中程の肉厚が両端に比べて大きいものや、逆に幅方向の中程の肉厚が両端に比べて小さいものでもかまわない。
【手続補正４】
【補正対象書類名】明細書
【補正対象項目名】００３７
【補正方法】変更
【補正の内容】
【００３７】
この隙間用ブラシは、図６に示すように、シャッターの左右の端部に、上下方向に取り付けられる。従って、取付箇所５０はシャッターの左右両側の壁面等が想定される。図６の例でも、シャッターの内側と外側とのいずれに対してもブラシ本体１１は取り付けることができるが、外部からの侵入を防止する観点からは、外側（図の左側）に配置することが適当である。この場合、ブラシ毛１３はシャッターのスラット５１に対して、平面視において角度を持って配置されることが適当であり、上述の構造を採用したものである。この例では中間部３１は、先の例と同様に幅方向の中程で湾曲しており、図５及び図６に示されるように、この幅方向の中程がシャッターと反対側に張り出すように、取付箇所５０に取り付けられる。
なお、縦に隙間用ブラシを配置すると、ブラシ毛１３はスラット５１の山と谷との双方に当接するようにする必要があるため、山の部分では谷の部分に比して、ブラシ毛１３が少しだけ大きく変形した状態になっている。
【国際調査報告】
2017056231.tif 000011
2017056231.tif 000012
2017056231.tif 000013